(57)【特許請求の範囲】
【請求項１】
変形可能な軟性眼内レンズを眼球に設けられた切開創から挿入するための挿入部であって，該挿入部内を移動する前記眼内レンズを折り畳む内部形状を備える挿入部と、
該挿入部の基端に設けられ前記眼内レンズを保持する保持部と、
を備える眼内レンズ挿入器具において、
前記保持部の後端には、白内障手術に用いられる灌流吸引ハンドピースに用意されるスリーブに被覆された吸引チップを外部から保持部内部に挿通するための通路が形成された挿通部を有し、該通路は前記眼内レンズを押し出すための押出し軸上に形成されるとともに，前記吸引チップを前記押出し軸上にて軸ずれを抑制しつつ軸方向に移動可能とするためにその内径は前記吸引チップの外径と略一致，又は前記スリーブの外径と略一致とされ軸方向に所定の長さを有し、
前記吸引チップを前記挿通部の通路に挿通させることにより、該吸引チップを前記眼内レンズを押出すための軸棒として用いることを特徴とする眼内レンズ挿入器具。
【請求項２】
請求項１の眼内レンズ挿入器具は、前記吸引チップを前記挿通部の通路に位置させた状態で前記吸引チップとスリーブとの間から送出される灌流液を前記挿入部を通して眼内に流す構成とされていることを特徴とする眼内レンズ挿入器具。
【請求項３】
請求項２の眼内レンズ挿入器具において、前記保持部後端から前記挿入部先端までの全長は、前記吸引チップの全長よりも短くなるように設計されていることを特徴とする眼内レンズ挿入器具。
【発明の詳細な説明】
【技術分野】
【０００１】
本発明は、眼内レンズを眼内に挿入するための眼内レンズ挿入器具に関する。
【背景技術】
【０００２】
従来、白内障の手術方法の一つとして、超音波手術装置に取り付けられた超音波乳化吸引用ハンドピース、灌流吸引用ハンドピースを用いて水晶体を摘出する手法が知られている（例えば、特許文献１参照）。その後、水晶体の代わりとして折り曲げ可能な軟性の眼内レンズを挿入することで、白内障を治療する手法が一般的に用いられている。折り曲げ可能な眼内レンズを挿入するには、眼内レンズを押出すためのノズル（挿入筒）を有したインジェクターと呼ばれる眼内レンズ挿入器具を使用する。インジェクターには、軸方向に進退移動するプランジャー（押出棒）が備えられており、術者にプランジャーが押されることより眼内レンズがノズルの先端から押出される。このインジェクターを用い、眼内レンズを折り曲げた状態で患者眼に設けた切開創にノズルの先端を挿入し、ノズルから折り曲げた状態の眼内レンズを眼内に挿入させることによって、患者眼に設ける切開創をできるだけ小径となるようにしている。（例えば、特許文献２参照）。
【特許文献１】特開平１０―７１１６６号公報
【特許文献２】特開平７−４７０９１号公報
【発明の開示】
【発明が解決しようとする課題】
【０００３】
このようなインジェクターを用いた眼内レンズの挿入では、水晶体の摘出後に、術者が超音波手術装置のハンドピースを、あらためて眼内レンズ用のインジェクターに持ち替える必要がある。また、上記のようなインジェクターでは、眼内レンズの押出しに伴ってプランジャーの先端が眼内に入ることとなる。一般に、白内障手術において、眼内に挿入される部品はできるだけ少なくさせることが望まれている。
【０００４】
本発明は、上記従来技術の問題点に鑑み、インジェクターの持ち替え動作の手間を省くと共に、眼内に挿入される部品を減らすことができる眼内レンズ挿入器具を提供することを技術課題とする。
【課題を解決するための手段】
【０００５】
上記課題を解決するために、本発明は以下のような構成を備えることを特徴とする。
（１）  変形可能な軟性眼内レンズを眼球に設けられた切開創から挿入するための挿入部であって，該挿入部内を移動する前記眼内レンズを折り畳む内部形状を備える挿入部と、該挿入部の基端に設けられ前記眼内レンズを保持する保持部と、を備える眼内レンズ挿入器具において、前記保持部の後端には、白内障手術に用いられる灌流吸引ハンドピースに用意されるスリーブに被覆された吸引チップを外部から保持部内部に挿通するための通路が形成された挿通部を有し、該通路は前記眼内レンズを押し出すための押出し軸上に形成されるとともに，前記吸引チップを前記押出し軸上にて軸ずれを抑制しつつ軸方向に移動可能とするためにその内径は前記吸引チップの外径と略一致，又は前記スリーブの外径と略一致とされ軸方向に所定の長さを有し、前記吸引チップを前記挿通部の通路に挿通させることにより、該吸引チップを前記眼内レンズを押出すための軸棒として用いることを特徴とする。
（２）  （１）の眼内レンズ挿入器具は、前記吸引チップを前記挿通部の通路に位置させた状態で前記吸引チップとスリーブとの間から送出される灌流液を前記挿入部を通して眼内に流す構成とされていることを特徴とする。
（３）  （２）の眼内レンズ挿入器具において、前記保持部後端から前記挿入部先端までの全長は、前記吸引チップの全長よりも短くなるように設計されていることを特徴とする。
【発明の効果】
【０００６】
本発明によれば、インジェクターの持ち替え動作の手間を省けると共に、眼内に挿入できる部品を減らすことができる。
【発明を実施するための最良の形態】
【０００７】
以下に本発明の実施形態を図面を用いて説明する。第１に、白内障手術に用いられる眼窩用の灌流吸引機能を備えた超音波手術装置５０の構成の概略を説明し、第２に本発明の実施形態である眼内レンズ挿入器具１を説明する。図１は、超音波手術装置の外観斜視図であり、図２は、灌流吸引用ハンドピース（Ｉ／Ａ（Irrigation／Aspiration）ハンドピース）８０の構成を説明する図である。
【０００８】
超音波手術装置本体５０には各機能ユニット（吸引ユニット等）を制御するための制御部（図示を略す）が収納され、装置本体５０の前面には手術条件等の設定情報を入力する入力部としての操作部５１が配置されている。５２は患者眼に供給する生理食塩水等の灌流液を入れる灌流瓶５２であり、高さ調節が可能なポールに吊り下げられている。灌流瓶５２が設定される高さによって、灌流液を適度の流圧（＝流量または灌流速度）で患者眼に供給するように灌流圧が調整される。灌流チューブ５３、５４により灌流敏５２の灌流液が患者眼（後述するハンドピース）へと導かれる。灌流チューブ５３と灌流チューブ５４の間は、灌流液溜めチャンバを備えたカセット５５が接続されている。
【０００９】
灌流チューブ５４の途中には、ピンチバルブ等の制御弁（図示を略す）が配設されており、制御弁の開閉により灌流液の流出が制御される。灌流チューブ５４の他端は、水晶体等を超音波にて破砕し吸引するＵＳハンドピース８０、灌流吸引用のＩ／Ａハンドピース７０等の各種のハンドピースに接続される。ハンドピース８０は、超音波振動を利用して先端に取付けられた吸引孔を有するＵＳチップにより水晶体の核を破砕乳化するとともに、破砕した核を灌流液と一緒にＵＳチップの吸引孔を介して吸引する役割を持つ。また、ハンドピース７０は、先端に取り付けられた吸引チップ７１にて水晶体の核片等を除去し、眼内を清掃する役割を持つ。ハンドピース８０やＩ／Ａハンドピース７０等の各種ハンドピースは、手術段階や術式等により選択され、繋ぎ換えて使用される。
【００１０】
ハンドピース７０には、チップ７１の先端から吸引された灌流液、破砕された核片を排出する吸引チューブ５６が接続されている。吸引チューブ５６の後方はカセット５５内に配管され、後方端は廃液袋５７まで延ばされている。カセット５５に配管された吸引チューブ５６の途中には、吸引圧を発生するための吸引ポンプ５８が配設されている。吸引ポンプ５８は装置本体１の制御部により駆動制御され、その吸引流量が調整される。吸引流量及び吸引圧等は、操作部５１にて設定され、装置本体１の制御部に接続されたフットスイッチ５９の踏み込みボジションにより術中に調整、制御される。このようにして、患者眼（ハンドピース８０、７０）へ灌流液の供給／除去（吸引）が実現される。
【００１１】
次に、ハンドピース７０の構成について説明する。術者に片手で把持されるハンドピース７０は、装置本体１に接続されて用いられる。ハンドピース７０には、水晶体の核片等を吸引し、眼内を清掃するための灌流吸引チップ（Ｉ／Ａチップ）７１が固定される。チップ７１は吸引経路７５となる中空部分を長軸方向有しており、先端部は水晶体の嚢、眼内組織に接触しても損傷を与え難いような丸みを帯びた形状、ここでは、半球状とされる。チップ７１の外径は、後述する挿入部２を挿通可能な程度の大きさ、ここでは、１〜２ｍｍ程度とされ、長軸方向の長さは、眼内レンズ１００を挿入部２から押出せる程度の長さ、ここでは、５０〜１００ｍｍ程度とされる。また、チップ７１の先端付近から核片等を吸引するために、チップ７１の先端部の周囲には吸引経路７５と流路が繋がる吸引孔７２が設けられている。なお、チップ７１は、吸引動作の伴う手術でも充分な強度を持つ素材、例えば、金属等で形成される。チップ７１の内部に形成された吸引経路７５は、ハンドピース７０内に形成された吸引経路７５と連通しており、吸引経路７５の後端は吸引チューブ５６に接続される。吸引チューブ５６には、吸引ポンプ５８等から構成される吸引ユニットにより吸引圧が付与され、吸引された廃物は廃液袋５７に排出される。
【００１２】
ハンドピース７０の先端に取り付けられる灌流用のスリーブ７３は、灌流液を眼内に供給するための筒状の中空部を備え、チップ７１の先端部を５ｍｍ程度外に出し、チップ７１の後端部を被覆している。スリーブ７３は充分な柔軟性を持つシリコーン樹脂等からなり、ハンドピース７０の先端に形成されるチップ７１とスリーブ７３との間から灌流液を送出できるようになっている。具体的には、スリーブ７３が取り付けられたハンドピース７０には、灌流液をスリーブ７３内（ハンドピース先端）に導くための灌流通路７４が設けられ、灌流通路７４の後端は灌流チュ−ブ５４に接続される。灌流液は灌流チュ−ブ５４を介し、灌流液の流出制御を行う灌流制御弁を備える灌流装置３２から送出される。灌流通路７４を通った灌流液は、スリーブ７３とチップ７１との間の隙間を通り、先端から挿入される。
【００１３】
次に、本発明の実施形態である眼内レンズ挿入器具１の構成を説明する。図３は本実施形態の眼内レンズ挿入器具１に予め設置される眼内レンズ１００の構成を示した図である。図示するように、眼内レンズ１００は所定の屈折力を有する光学部１０１と光学部１０１を患者眼の眼内にて固定支持するための一対の支持部１０３とからなる。光学部１０１はシリコーンや、親水性又は疎水性のアクリル樹脂からなる軟性の折り曲げ（変形）可能な材料から形成されている。また、光学部１０１には所定の厚みを持つコバ１０２が設けられており、このコバ１０２に支持部１０３が接合される。また、後述する眼内レンズ１００の押出し動作において、コバ１０２がチップ７１の先端部に押されることとなる。支持部１０３はその一端（基端）が光学部側（コバ１０２）に接合され、他端（先端）を自由端としたループ形状を有している。支持部１０３はＰＭＭＡ（ポリメチルメタクリレート）、ポリプロピレン等の樹脂にて形成される。なお、本実施形態における眼内レンズ１００は光学部と支持部とを接合されて眼内レンズを製作する３ピース型の例を示しているが、これに限るものではなく、光学部と支持部とを同一の素材から一体的に成型する１ピース型の眼内レンズであってもよい。
【００１４】
図４は眼内レンズ挿入器具１の概略を説明する模式図である。図４（ａ）は、眼内レンズ挿入器具１の概略側面図であり、図４（ｂ）は、眼内レンズ挿入器具１の概略断面図である。図５は、保持部１０の周辺の構成を説明する模式図であり、図５（ａ）は、保持部１０を上方から見た図であり、図５（ｂ）は、保持部１０の軸Ｌでの縦断面図である。図５（ａ）では、説明の簡便のため、カバー１１は取り外した状態としている。
【００１５】
図４（ａ）に示すように、眼内レンズ挿入器具１は眼球に挿入する側から順に大別して、眼球に形成される切開創に挿入する挿入部２、挿入部２の基端に設けられ眼内レンズ１００を載置し、保持する保持部１０、保持部１０の後端に設けられチップ７１で眼内レンズ１００を押出すために押出し軸上に形成され、チップ７１を挿通するための通路となる内筒３０を持つ挿通部３、とからなる。なお、本実施の形態では、前述のハンドピース７０（吸引チップ７１）が眼内レンズ１００の進退移動方向（軸方向）に沿って移動されて眼内レンズ１００を押出すための軸棒（押出手段）として用いられる（詳細は後述する）。
【００１６】
保持部１０の上部に設けられたカバー１１は開閉可能となっており、カバー１１を開けることで、眼内レンズ１００を保持部１０内に置くことができる。また、詳細な説明は略すが、保持部１０上方の天井はできるだけ低くなるように構成されており、カバー１１が閉じられることにより、保持部１０内の眼内レンズ１００が上方に移動することが規制される。保持部１０の載置面１０ａに置かれた眼内レンズ１００が押出され、挿入部２内にて折り畳まれ（丸め込まれ）ながら、挿入部２の先端２ａより押出される（眼内レンズ１００が眼内に挿入される）こととなる。このとき、眼内レンズ１００は、軸Ｌに沿って前進方向に移動される。また、挿入部２の側面には、術者が把持するための平板状の持ち手１５が水平方向に延びて設けられている。
【００１７】
図４（ｂ）に示されるように、挿入部２は眼球に設けられた切開創を必要以上に広げさせずに、眼内レンズ１００を折り畳んだ状態で容易に挿入できるようにするために、後方の挿通部３より小径で先端２ａに行くに従って先細りとなるテーパ形状の中空部材で構成される。また、挿入部２の横断面（軸Ｌに直交する断面）は、略円形状を有している。また、挿入部２の基端側には、押出される光学部１０１を丸める（折り畳む）ための側壁１３が設けられている（図５（ａ）参照）。側壁１３は、光学部１０１に対して左右に配置されており、側壁１３の間の間隔は、先端２ａに向かうに従って狭まるようにされている。これにより、光学部１０１が先端２ａに向かうに従って丸められることとなる。
【００１８】
保持部１０には、眼内レンズ１００の光学部１０１を載置する載置面１０ａが形成されている。保持部１０の側壁は支持部１０３に干渉しない程度に光学部１０１の径よりも若干狭くなっているとともに、光学部１０１に対して応力を掛けない状態で固定保持させるために光学部１０１のコバ１０２が接触する部分の側壁は、光学部１０１の外周に沿って凹んだ形状とされている
また、図５（ａ）に示されるように載置面１０ａにはチップ７１の壁面の下部と当接し、チップ７１の進退移動方向をガイドする溝１２が形成されている。溝１２は、軸Ｌに沿って挿入部２の基端から先端に向かって直線状に形成され、チップ７１に当接し易いように半円状の断面形状とされる。溝１２によって、進退移動するチップ７１は軸出されると共に、軸ずれを防止される。なお、溝１２は、他の図では図示を略した。
【００１９】
次に、チップ７１の進退移動方向と光学部１０１の移動軸（押出し軸Ｌ）とを略同一とすると共に、軸ずれを防止する挿通部３の説明をする。挿通部３には、軸Ｌを中心軸とする載置面１０ａの後方で保持部１０と連結される内筒３０と、内筒３０と連結され内筒３０の後方ですり鉢状に形成されるガイド部３１とを備える。内筒３０は、チップ７１が挿通できる内形状を有し、ここでは、チップ７１を挿通可能な内形状、具体的には、チップ７１の外径と略一致し、スリーブ７３の径よりは小さい径の円筒とされる。また、内筒３０の軸方向の長さは、チップ７１を通した際に、これを軸Ｌに沿わせるために必要とされる長さを持つ。本実施形態では、このような構成を持つことにより、眼内レンズ１００の押出し動作において、スリーブ７３は内筒３０の入り口付近に残り、内筒３０を挿通する部材は、チップ７１のみとされる。
【００２０】
また、内筒３０の軸方向の長さは、内筒３０に挿通されたチップ７１の先端が、載置面１０ａに置かれた眼内レンズ１００のコバ１０２に当たり、その後押出し動作において、軸ずれさせないために必要な長さを持つ。ガイド部３１は、先端に向かってすり鉢状とされているため、ガイド部３１に到ったチップ７１を内筒３０に挿通するように、チップ７１の方向をガイドする役割を持つ。また、眼内レンズ挿入器具１の全長（先端２ａから挿通部３（又は内筒３０）の後端までの長さ）はチップ７１の全長よりも短くなるように設計されており、チップ７１を挿通部３から内部に通し、眼内レンズ１００を先端２ａから十分に押し出すことができるようになっている。
【００２１】
次に、チップ７１（ハンドピース７０）の移動に伴う眼内レンズ１００の押出し動作について説明する。図６は、図５（ｂ）の状態から、チップ７１が挿通部３を挿通し、前方に移動する様子を示した模式図である。図６（ａ）は、チップ７１の先端がコバ１０２に当接した状態を示し、図６（ｂ）は、チップ７１により眼内レンズ１００が折り曲げられつつ押出される状態を示した図である。
【００２２】
図５（ｂ）の状態から、チップ７１が内筒３０に挿通されて前進されると、内筒３０の後方（後端の開口部）では、スリーブ７３が内筒３０の形状により留められ、その前進を阻止される。一方、チップ７１は、内筒３０に軸出されて、コバ１０２へと到る。このとき、柔軟性を持つスリーブ７３は内筒３０の後端でめくられることとなる。
【００２３】
図６（ａ）の状態から、チップ７１が前進されると、スリーブ７３は留められてチップ７１のみが前進し、前述のように挿入部２の内形状により眼内レンズ１００が折り曲げられて、挿入部２の先端に向かって軸（押出し軸）Ｌ上を移動させられる。このとき、スリーブ７３は、内筒３０又はガイド部３１により力を受け、チップ７１に対して相対的に後退させられる。
【００２４】
このようにして、チップ７１のみを軸棒として用いて、眼内レンズ１００を眼内レンズ挿入器具１から眼内へと押し出すことができる。これにより、従来、眼内レンズを押出すために必要であったプランジャー（押出棒）を新たに設ける必要がなくなる。外科手術、特に、白内障手術等の眼科手術においては、眼内に入る部品をできるだけ少なくすることが望まれており、水晶体摘出手術にて使用されたハンドピース７０、チップ７１が、眼内レンズ１００の押出し動作に用いられることにより、眼内レンズ１００を押出すためのプランジャーを眼内に入れる必要がなくなる。これにより、眼内に挿入される部品を減らすことができるとともに、効率よく眼内レンズの挿入を行うことができる。
【００２５】
以上のような構成を備える眼内レンズ挿入器具１において、眼内レンズ１００の押出し動作を説明する。術者がカバー１１を開け、載置面１０ａに眼内レンズ１００を置いて眼内レンズ挿入器具１を使用する。又は、工場にて載置面１０ａに眼内レンズ１００が予め置かれた状態で工場出荷されたものを術者が使用する。
【００２６】
術者により、超音波手術装置５０が操作され、ハンドピース８０により水晶体が摘出され、ハンドピース７０により眼内が清掃される。次に、術者は、上述した眼内レンズ挿入器具１を手に取り、ハンドピース７０のチップ７１を挿通部３の内筒３０に位置させておく。なお、例えば、粘弾性物質を眼内に入れる代わりに、灌流液を眼内に流す場合には、この状態で、超音波手術装置５０のフットスイッチ５９を操作して灌流液を流してもよい。灌流液がスリーブ７３とチップ７１の間から送出されると、灌流液は内筒３０を通り、挿入部２の先端から流れることとなる。また、この灌流液を眼内レンズ１００の押し出し時の挿入器具内に用いられる潤滑剤（粘弾性物質）の代わりに用いてもよい。
【００２７】
次に、眼内レンズ１００を眼内に挿入するために、挿入部２の先端を切開創から眼内へと入れる。この状態で、チップ７１を軸方向に前進させて眼内レンス１００を押し出す。チップ７１が前進されると、チップ７１の進退移動方向が軸Ｌと一致され（軸出しされ）、スリーブ７３が挿通部３の入口で留められる。さらに、チップ７１が前進されると、溝１２にて軸出しされつつ、コバ１０２にチップ７１の先端が当接し、眼内レンズ１００が押出され始める。そして、眼内レンズ１００は挿入部２内で折り曲げられて、先端２ａより眼内に挿入される。
【００２８】
なお、以上説明した本実施形態では、挿通部３でスリーブ７３が留められ、チップ７１が挿入部２内を挿通する構成としたが、これに限るものではない。眼内レンズ１００を先端２ａから押し出すことができる構成であればよく、チップ７１と共にスリーブ７３が挿入部２内を挿通する構成であってもよい。この場合、内筒の径はスリーブ７３が挿通できる形状、具体的には、スリーブ７３の外径と略一致する径とされる。通常、スリーブの厚みは、極僅かであるため、内筒の径がスリーブと略一致とされても、それによる押し出し動作におけるチップの軸ずれの問題は発生しにくい。
【００２９】
なお、以上説明した本実施形態では、内筒３０は円筒上としたが、これに限るものではない。通路にチップが挿通し、チップを押出し軸上に移動可能とする構成であればよい。例えば、内筒に軸方向に延びる溝を設けた構成であってもよいし、軸方向に延びた複数のスリットを設ける構成としてもよい。
【図面の簡単な説明】
【００３０】
【図１】超音波手術装置５０の外観斜視図である。
【図２】灌流吸引用ハンドピース７０の構成を説明する模式的断面図である。
【図３】眼内レンズ１００の外観を示した図である。
【図４】本実施形態における眼内レンズ挿入器具１の概略構成図である。
【図５】保持部１０を説明する図である。
【図６】眼内レンズ１００の押出し動作を説明する図である。
【符号の説明】
【００３１】
１  眼内レンズ挿入器具
２  挿入部
３  挿通部
１０  保持部
３０  内筒
３１  ガイド部
５０  超音波手術装置
７０、８０  ハンドピース
７１  チップ
７３  スリーブ
１００  眼内レンズ
【図１】
0005255312.tif 000002
【図２】
0005255312.tif 000003
【図３】
0005255312.tif 000004
【図４】
0005255312.tif 000005
【図５】
0005255312.tif 000006
【図６】
0005255312.tif 000007